(57)【特許請求の範囲】
【請求項１】
フィルムで形成され可撓性を有する容器本体の上部に抽出口が突設され、該抽出口の外周面に第１のねじ部が形成されたフレキシブル容器と、
載置面との接面部を有するとともに前記容器本体を受容して抱持する抱持部と、該抱持部の一部に立設されたアーム部とを有し、該アーム部の上部に前記フレキシブル容器の抽出口が配置される抽出口配置部を有する支持部材と、
該支持部材の前記抽出口配置部上に配置され、前記フレキシブル容器の抽出口に連通される通路と、該通路に形成され前記第１のねじ部に螺合する第２のねじ部を有するとともに、前記通路の周部に第３のねじ部を有する、前記フレキシブル容器と支持部材及びトリガー噴霧器とは別体の中間体と、
該中間体の前記第３のねじ部に螺着されて前記通路を介し前記フレキシブル容器の抽出に連通されるとともに外部に連通する通気孔を有し、前記容器本体の内部に収容されている液体を吸引して噴霧する、前記中間体とは別体の前記トリガー式噴霧器とからなり、
前記中間体は、前記第３のねじ部に前記トリガー式噴霧器が螺着された状態において、前記通気孔を閉鎖する端面を備えることを特徴とする液体噴霧装置。
【請求項２】
前記容器本体は多面形状であり、前記抱持部は容器本体の外面に接触する枠状であることを特徴とする請求項１記載の液体噴霧装置。
【請求項３】
前記支持部材は、下部に前記接面部と抱持部とを有し、前記上部の抽出口配置部に前記抽出口が遊嵌される貫通孔を有することを特徴とする請求項１又は２記載の液体噴霧装置。
【発明の詳細な説明】
【０００１】
【発明の属する技術分野】
本発明は、漂白剤や洗剤等の液体が充填されるフレキシブル容器を用いた液体噴霧装置に関する。
【０００２】
【従来の技術】
従来、フレキシブル容器を用いた液体噴霧装置として、図９に示すものが知られている（実用新案登録第２５３８３９２号公報参照）。この液体噴霧装置は、フレキシブル容器１０１とプロテクタ１０２、及びトリガー式噴霧器１０３で構成されている。フレキシブル容器１０１は、フィルムで成形された可撓性を有する容器本体１０４と、この容器本体１０４の上端開口部に設けられた抽出口１０５とからなり、容器本体１０４の内部には適宜の内容液が充填されている。また、抽出口１０５の基端部には多角形状の回転止め手段１０６が設けられ、周部にねじ部１０７が形成されている。
【０００３】
トリガー式噴霧器１０３は、トリガー１１０が設けられた噴霧器本体１０８とこの噴霧器本体１０８の下端に回動自在に設けられたねじキャップ１０９とで構成されている。このキャップ１０９に、前記プロテクタ１０２の上端部が回転自在に支持されており、このプロテクタ１０２には、前記回転止め手段１０６に対応する形状であってこれに係合する係合部１１１が設けられている。
【０００４】
かかる構成において、この液体噴霧装置を組み立てるに際しては、抽出口１０５の真上にトリガー式噴霧器１０３のねじキャップ１０９を位置させ、トリガー式噴霧器１０３を押し込むことにより、プロテクタ１０２の係合部１１１を抽出口１０５の回転止め手段１０６に係合させる。これによりトリガー式噴霧器１０３は、フレキシブル容器１０１に対して位置決めされる。次に、ねじキャップ１０９を回転操作すると、これに伴ってねじキャップ５２が抽出口１０５のねじ部１０７に螺合し、トリガー式噴霧器１０３がプロテクタ１０２とともにフレキシブル容器１０１に結合される。
【０００５】
この組み立てられた液体噴霧装置にあっては、プロテクタ１０２がフレキシブル容器１０１の上面を覆い容器本体１０４の中間部での折り曲げを防ぐとともに、利用者の把持部としても作用する。また、容器本体１０４内の内容液を使い尽くした場合には、容器本体１０４を押し潰したり丸めることにより、フレキシブル容器１０１を小型化して廃棄することができるものである。
【０００６】
【発明が解決しようとする課題】
かかる従来の液体噴霧装置は組立に際しては、前述のように、先ず抽出口１０５の真上にトリガー式噴霧器１０３のねじキャップ１０９を位置させ、トリガー式噴霧器１０３を押し込むことにより、プロテクタ１０２の係合部１１１を抽出口１０５の回転止め手段１０６に係合させる。したがって、この操作を行うためには、フレキシブル容器１０１が起立状態にあることが必要となる。
【０００７】
しかし、フレキシブル容器１０１の容器本体１０４は、フィルムで成形された可撓性を有するものであることから自立することは困難である。よって、フレキシブル容器１０１を起立状態にして、抽出口１０５の真上にトリガー式噴霧器１０３のねじキャップ１０９を位置させるためには、片方の手指でフレキシブル容器１０１を支持する必要がある。しかも、プロテクタ１０２の係合部１１１を抽出口１０５の回転止め手段１０６に係合させるのであるから、抽出口１０５を手指で摘持することはできず、容器本体１０４を挟持する必要がある。このとき、容器本体１０４は、フィルムで成形された可撓性を有するものであることから、手指からの力によって内部方向に変形してしまい、内容液が抽出口１０５から溢れ出てしまう。
【０００８】
また、ねじキャップ１０９を回転操作して、該ねじキャップ５２を抽出口１０５のねじ部１０７に螺合させる際も同様であって、この間容器本体１０４を挟持してフレキシブル容器１０１を起立状態にする必要があることから、容器本体１０４が手指からの力によって内部方向に変形してしまい、内容液が抽出口１０５から溢れ出てしまう。
【０００９】
加えて、共に硬質の部材であって対応する形状である回転止め手段１０６と係合部１１１に係合させる操作には、困難性が伴い、しかもこれを片手で行わなければならないことから、容易に組み立てを行うことができない。
【００１０】
本発明は、このような従来の課題に鑑みてなされたものであり、フレキシブル容器を用いながらも、内容液を溢れ出させることなくかつ容易に組立を行うことのできる液体噴霧装置を提供することを目的とするものである。
【００１１】
【課題を解決するための手段】
前記課題を解決するために請求項１記載の発明にかかる液体噴霧装置にあっては、フィルムで形成され可撓性を有する容器本体の上部に抽出口が突設され、該抽出口の外周面に第１のねじ部が形成されたフレキシブル容器と、載置面との接面部を有するとともに前記容器本体を受容して抱持する抱持部と、該抱持部の一部に立設されたアーム部とを有し、該アーム部の上部に前記フレキシブル容器の抽出口が配置される抽出口配置部を有する支持部材と、該支持部材の前記抽出口配置部上に配置され、前記フレキシブル容器の抽出口に連通される通路と、該通路に形成され前記第１のねじ部に螺合する第２のねじ部を有するとともに、前記通路の周部に第３のねじ部を有する、前記フレキシブル容器と支持部材及びトリガー噴霧器とは別体の中間体と、該中間体の前記第３のねじ部に螺着されて前記通路を介し前記フレキシブル容器の抽出に連通されるとともに外部に連通する通気孔を有し、前記容器本体の内部に収容されている液体を吸引して噴霧する、前記中間体とは別体の前記トリガー式噴霧器とからなり、前記中間体は、前記第３のねじ部に前記トリガー式噴霧器が螺着された状態において、前記通気孔を閉鎖する端面を備える。
【００１２】
この液体噴霧装置を組み立てるに際しては、接面部をテーブル等の適宜の載置面に接触させて、該載置面上に支持部材を載置しておく。次に、フレキシブル容器を持ち上げて、容器本体を支持部材の抱持部に挿入する。このとき、フレキシブル容器の容器本体を挾持することなく、容器本体の上部に突設されている抽出口を摘持することができることから、容器本体が手指からの力によって内部方向に変形することがなく、この変形により内容液が抽出口から溢れ出てしまうこともない。また、容器本体は可撓性を有していることから、これを抱持部に挿入する作業に困難性を伴うことはなく、作業を容易に行い得る。
さらに、支持部材はアーム部を除く周囲は開放状であることから、支持部材を持ち上げることなく横方向からフレキシブル容器を支持部材の抱持部に挿入することができる。
【００１３】
そして、容器本体が抱持部に挿入されると、これに伴い容器本体が抱持部により抱持されて起立状態に維持され、よって、フレキシブル容器を手指で支持する必要はなくなる。
【００１４】
しかる後に、フレキシブル容器の抽出口を支持部材の抽出口配置部に配置するとともに、中間体を抽出口配置部上に配置し、抽出口の第１のねじ部と中間体の第２のねじ部とを螺合させる。これにより、抽出口は中間体の通路に連通される。
また、フレキシブル容器は下部においては支持部材の抱持部により抱持され、上端部においては中間体を介して支持部材の抽出口配置部に固定される。
したがって、抽出口に中間体を螺着する作業を行う際に、容器本体が手指からの力によって内部方向に変形することがなく、この変形により内容液が抽出口から溢れ出てしまうこともない。
また、中間体が螺着されることにより、抽出口の抜け止めがなされ、フレキシブル容器が上下各部で支持部材に支持されることにより、整然とした起立状態で安定的に拘束される。よって、中間体にトリガー式噴霧器を螺着させる際に、フレキシブル容器が中間部で折り曲がって、液漏れが生じてしまうことがない。
また、抽出口のねじ部に中間体を螺着すると、その長さ分に応じて抽出口が長尺化することとなる。したがって、この中間体を螺着後に、容器本体が多少撓んでも、内容液が溢れ出すことはない。
また、前記第３のねじ部にトリガー式噴霧器が螺着されると、当該トリガー噴霧器に設けられている通気孔が中間体の端面により閉鎖される。したがって、通気孔を有し従来から用いられている既存のトリガー式噴霧器を採用しても、液漏れなく、かつ内容液の残量や使用時の傾き角度に左右されることなく噴霧できる液体噴霧装置が得られる。
【００１５】
また、請求項２記載の発明にかかる液体噴霧装置にあっては、前記容器本体は多面形状であり、前記抱持部は容器本体の外面に接触する枠状である。したがって、容器本体が抱持部に抱持されることにより、フレキシブル容器が回転止めされ、抽出口に必要部材を螺着する際の作業が容易となる。
【００１６】
また、請求項３記載の発明にかかる液体噴霧装置にあっては、前記支持部材は、下部に前記接面部と抱持部とを有し、前記上部の抽出口配置部に前記抽出口が遊嵌される貫通孔を有する。したがって、容器本体が抱持部により抱持され、かつ、抽出口が貫通孔に遊嵌されることにより、フレキシブル容器は上下各部にて支持部材により支持されて、安定した状態で起立する。よって、フレキシブル容器が傾倒して、抽出口から内容液が漏れてしまうことはない。
【００２１】
【発明の実施の形態】
以下、本発明の実施の形態を図に従って説明する。すなわち、図１に示すように、第１の実施の形態にかかる液体噴霧装置１は、支持部材２、フレキシブル容器３、中間体４及びトリガー式噴霧器５で構成されている。
【００２２】
前記支持部材２は、図２に示すように、抱持部２１とアーム部２２とで構成されている。抱持部２１は、相対向する一対の板状部材である短辺部２１ａ、２１ｂと、これらより長尺な板状部材である長辺部２１ｃ、２１ｄとを一体に結合した矩形状の枠体であって、各辺部２１ａ〜２１ｄの下端で構成される水平状の接面部２３を有している。
【００２３】
アーム部２２は水平断面が湾曲状であって、下端部を抱持部２１の右辺部２１ｂ側に結合されて略垂直状に起立する起立部２４と、この起立部２４の上端部に連なり、抱持部２１の中心部方向に傾倒した斜状部２５とで構成されている。斜状部２５の上端部には、略水平状の抽出口配置部である台座部２６が延設されており、この台座部２６には、円形の貫通穴２７が開設されているとともに、この貫通孔２７を囲繞する同心円状のリブ２８が上方に突設されている。
【００２４】
前記フレキシブル容器３は、図３に示すように、容器本体３１と抽出口３２とを備えている。容器本体３１は、可撓性を有するフィルムからなる袋体であって、上端部を除く下部側は、図３（ｂ）に示すように、断面略矩形状に形成され、内部には洗剤等の適宜の内容液３６（図１参照）が充填されている。また、この断面略矩形状である容器本体３１の下部側は、前述の図２（ｂ）に示した、各辺部２１ａ〜２１ｄで構成される矩形状の枠体よりなる抱持部２１内に収容し得る断面積を有している。
【００２５】
すなわち、抱持部２１は、その内部に容器本体３１が収容された状態において、各辺部２１ａ〜２１ｄのいずれか少なくとも相対向する一対の内面に、容器本体３１の外面が接触するように構成されている。なお、この実施の形態においては、抱持部２１内に容器本体３１が収容された場合に、相対向する長辺部２１ｃ、２１ｄの内面に容器本体３１の外面が接触するように構成されている。
【００２６】
前記抽出口３２は、中空部３２ａを有する中空状であってプラスチック成形品であり、容器本体３１の上端部に熱溶着されて突設されている。抽出口３２の容器本体３１外に突出している部分には、六角形状のフランジ３４が複数段設けられており、その上部には螺旋状に第１のねじ部である雄ねじ部３５が形成されている。なお、フランジ３４は平面視において前記支持部材２の貫通孔２７よりも大きく、抽出口３２は貫通孔２７よりも小径である。
【００２７】
中間体４は、図４に示すように円筒状であって、周面部４１ａと上面部４１ｂとを一体的に有する下方開口状の大径部４１を備えており、該大径部４１は前記支持部材２の貫通孔２７よりも大きな径を有している。上面部４１ｂの中心部には、該上面部４１ｂの上下に突出する筒体からなる小径部４２が形成されいる。この小径部４２は軸方向に沿って上下に延在する通路４２ａを有しており、この通路４２ａの周面であって前記上面部４１ｂよりも下方には、図３に示した前記抽出口３２の雄ねじ部３５と螺合する第２のねじ部である雌ねじ部４２ｂが形成されている。また、小径部４２の上端部には、水平状の端面４３が設けられているとともに、該端面４３の近傍には小径部４２の外周に外嵌されたシールリング４４が設けられている。
【００２８】
さらに、前記大径部４１の上面部４１ｂ上には中径部４５が一体的に立設されている。この中径部４５は、前記小径部４２と同心円状であってこれより大径で且つ大径部４１よりは小径の筒体からなり、外周面には第３のねじ部である雄ねじ部４６が形成されている。
【００２９】
前記トリガー式噴霧器５は周知の従来構造であって、図５に示すように、噴霧器本体５１とねじキャップ５２とで構成されている。ねじキャップ５２は、噴霧器本体５１の下端部に設けられている円筒状の下端部材６６に回動自在に設けられており、その内周部には、図４に示した前記中径部４５の雄ねじ部４６と螺合する雌ねじ部５３が刻設されている。
【００３０】
噴霧器本体５１の内部には、通液路５４が形成されており、外部にはトリガー５５が設けられている。このトリガー５５と通液路５４間には、ポンプ室５６が設けられており、このポンプ室５６にはトリガー５５により加圧操作されるピストン５７が配置されている。このピストン５７は、スプリング５８によりトリガー５５側に付勢されており、ポンプ室５６は、通路５９を介して通液路５４と連通している。また、ポンプ室５６の下部には通気孔６０が設けられており、この通気孔６０は、ピストン５７がトリガー５５により加圧されて通液路５４側に位置している状態で、外部に連通するように構成されている。
【００３１】
なお、この通気孔６０の下端部と前記通液路５４の下端部とは、共に前記下端部材６６に開設されているが、通気孔６０の下端部にあっては下端部材６６の周部に開設されており、前記通液路５４の下端部は、これよりも中心部寄りに開設されている。また、下端部材６６は、前記中間体４の小径部４２に外嵌し得る径を有している。
【００３２】
前記通液路５４の内部には、下部に入側逆止弁６１が設けられ、上端部に出側逆止弁６２が設けられている。通液路５４は、出側逆止弁６２を介して噴出路６３に連通されており、噴出路６３はノズル６４に設けられた噴出口６５に連通されている。
【００３３】
以上の構成にかかる本実施の形態において、液体噴霧装置１を組み立てるに際しては、支持部材２を接面部２３にてテーブル等の適宜の水平面に載置しておく。次に、フレキシブル容器３を持ち上げて、容器本体３１の下端部を支持部材２の抱持部２１内に挿入する。このとき、フレキシブル容器３の容器本体３１を挾持することなく、容器本体３１の上部に突設されている抽出口３２を摘持することができることから、容器本体３１が手指からの力によって内部方向に変形することがなく、この変形により内容液３６が抽出口３２から溢れ出てしまうこともない。また、容器本体３１は可撓性を有していることから、これを抱持部２１に挿入する作業に困難性を伴うことはなく、作業を容易に行い得る。
【００３４】
そして、容器本体３１が抱持部２１に挿入されると、抱持部２１の相対向する長辺部２１ｃ、２１ｄの内面が容器本体３１の対応する面に接触する。これにより容器本体３１の下部が抱持部２１によって抱持されて、フレキシブル容器３が起立状態に維持され、したがって、フレキシブル容器３を手指で支持する必要はなくなる。よって、前述同様に、容器本体３１が手指からの力によって内部方向に変形することがなく、この変形により内容液３６が抽出口３２から溢れ出てしまうこともない。
【００３５】
引き続き、容器本体３１の上部を必要に応じて撓み変形させつつ、抽出口３２を下方より貫通穴２７に挿入して、該抽出口３２を台座部２６の上部に突出させる。これにより、フレキシブル容器３は、下部を容器本体３１にて抱持部２１に抱持され、上部を抽出口３２にて貫通孔２７に抱持されて、支持部材２に仮止めされる。よって、容器本体３１が可撓性を有しておりしかも抽出口３２が開口状であっても、作業中に該抽出口３２から内容液３６が漏れてしまうことはない。
【００３６】
次に、前記貫通孔２７から上部に突出している抽出口３２にて中間体４を回転させることにより、該抽出口３２の雄ねじ部３５に、中間体４の小径部４２に設けられている雌ねじ部４２ｂを螺合させる。このとき、前述のようにフレキシブル容器３は、容器本体３１の相対向する二面が抱持部２１の相対向する長辺部２１ｃ、２１ｄの内面に当接することによって、回り止めがなされている。よって、中間体４を回転させた際に、フレキシブル容器３が回転してしまったり、位置ずれしてしまうことがなく、抽出口３２の雄ねじ部３５に、中間体４の雌ねじ部４２ｂを容易に螺合させることができる。また、前述と同様に、この作業中に抽出口３２から内容液３６が漏れてしまうこともない。
【００３７】
そして、中間体４の回転に伴って雌ねじ部４２ｂが螺進すると、大径部４１の周面部４１ａが前記台座部２６に形成されているリブ２８の外周面に圧接し、かつ周面部４１ａの下端縁が台座部２６の上面に圧接する。これにより、中間体４は台座部２６に固定されるとともに、抽出口３２は中間体４を介して台座部２６に固定される。よって、前述のように仮止めされていたフレキシブル容器３は、支持部材２に完全に固定され、容器本体３１が可撓性を有していても倒れてしまうようなことはない。
【００３８】
次に、トリガー式噴霧器５をそのノズル６４が支持部材２のアーム部２２に対して反対側に突出するように位置決めし、この状態でねじキャップ５２を回転させて、その雌ねじ部５３を中間体４に設けられている中径部４５の雄ねじ部４６に螺合させる。すると、螺合に伴ってトリガー式噴霧器５はねじキャップ５２と一体的に下方に移動し、下端部材６６が中間体４の小径部４２に外嵌する。そして下端部材６６と中間体４の小径部４２とが完全に嵌合すると、ねじキャップ５２の回転が不可能となって、トリガー式噴霧器５が中間体４の上部に固定され、図１に示した液体噴霧装置１が完成することとなる。
【００３９】
このとき、前述のように通気孔６０の下端部にあっては下端部材６６の周部に開設されていることから、前記小径部４２の端面４３（図４（ｂ）参照）、あるはいは該端面４３とシールリング４４とが圧接して、通気孔６０は閉鎖される。しかし、前述のように通液路５４の下端部は、通気孔６０の下端部よりも中心部寄りに開設されていることから、端面４３やシールリング４４により閉鎖されることはなく、少なくともその一部は小径部４２の通路４２ｂと連通する。
【００４０】
したがって、容器本体３１は、抽出口３２の中空部３２ａ（図３（ａ））、中間体４の小径部４２の通路４２ａ（図４（ｂ））を順次介して通液路５４に連通する状態となる。この状態において、トリガー５５を引く操作を行うと、従来と同様に、ピストン５７によりポンプ室５６内が加圧され、ポンプ室５６の吐出圧により出側逆止弁６２が通液路５４と噴出路６３とを連通させ、ポンプ室５６内の内容物が通路５９、通液路５４、噴出路６３を通流してノズル６４の噴出口６５から噴出する。
【００４１】
次に、トリガー５５の引き操作を解除すると、スプリング５８によりピストン５７が押し戻され、これによりポンプ室５６内に負圧が生ずる。よって、入側逆止弁６１が開き、容器本体３１内の内容液３６が、抽出口３２の中空部３２ａ→小径部４２の通路４２ａ→通液路５４と通流してポンプ室５６内に吸引される。そして、再度トリガー５５を引く操作を行うと、このポンプ室５６内に吸引されている内容液が前述と同様にして、通路５９、通液路５４、噴出路６３を通流してノズル６４の噴出口６５から噴霧する。以降同様にして、トリガー５５を引く操作及びこれを解除する操作を繰り返すことにより、容器本体３１に充填されている内容液３６を噴出口６５から噴霧させることができる。
【００４２】
すると、これに伴って容器本体３１内の内容液３６が減少する。しかし、容器本体３１は可撓性を有していることから、この可撓性を有する該容器本体３１が適宜内部方向に変形し、その結果容器本体３１の内部における気圧低下が回避される。したがって、前述のように通気孔６０が閉鎖されていても、容器本体３１内部の内容液３６を噴霧することが可能となる。よって、使用時等に、液体噴霧装置１を如何なる角度に傾けても、容器本体３１の内容液３６が通気孔６０から外部に流出することはなく、これに起因する液漏れの発生を解消することができる。
【００４３】
また、このように、容器本体３１は密閉状態に維持されつつ内容液３６の減少に伴って内部方向に変形することから、容器本体３１から直接的に内容液３６を吸引して噴霧することができる。よって、内容液３６の残量や容器本体３１の傾き角度に左右されることなく、内容液３６が完全になくなるまで任意の角度で噴霧することが可能となる。
【００４４】
しかも、本実施の形態においては、中間体４を用いることにより、トリガー式噴霧器５に設けられている通気孔６０を閉鎖する構成としたことから、該通気孔６０を有し従来から用いられている既存のトリガー式噴霧器５を採用しても、液漏れなく、かつ内容液の残量や使用時の傾き角度に左右されることなく噴霧できる液体噴霧装置１が得られる。よって、既存のトリガー式噴霧器５を有効利用することができるのみならず、構造な複雑であるトリガー式噴霧器を新たに開発する必要もなく、低コストで実施化が可能となる。
【００４５】
なお、使用時にトリガーを操作する際には、支持部材２に設けられているアーム部２２の斜状部２５が使用者の把持部として機能し、使い勝手よく噴霧することができる。また、不使用時には、図１に示すように、抱持部２１の接面部２３にて、収納箇所の平らな面に載置しておけば、フレキシブル容器３を含む液体噴霧装置１全体が起立状態に維持される。したがって、容器本体３１がフィルムで形成された可撓性を有するフレキシブル容器３を用いても、不使用時には見栄えよく整然と起立状態にしておくことができる。
【００４６】
さらに、容器本体３１内の内容液３６を全て使いし終わった場合には、前述とは逆の手順で、ねじキャップ５２を回転させてトリガー式噴霧器５を取り外した後、中間体４を回転させてこれを取り外す。さらに、抽出口３２を貫通孔２７から下方に引き抜いた後、フレキシブル容器３を支持部材２の抱持部２１から取り除いて、廃棄する。このとき、フレキシブル容器３の容器本体３１は可撓性を有していることから、押し潰したり丸めることにより、小型化して廃棄することができる。
【００４７】
図６は、本発明の第２の実施の形態にかかる支持部材２を示すものである。すなわち、前記第１の実施の形態は、図２（ｃ）に示したように、台座部２６に形成された貫通孔２７が円形であったのに対し、この第２の実施の形態においては、図６（ｃ）に示すように、台座部２６に形成された貫通孔２７１が六角形状であり、この点においてのみ第１の実施の形態とは異なっている。また、この貫通孔２７１は、前記抽出口３２に設けられた六角形状のフランジ３４が内嵌し得る形状及び大きさを有している。
【００４８】
したがって、フレキシブル容器３を支持部材２に組み付けるに際しては、容器本体３１の下端部を支持部材２の抱持部２１に抱持させた後、抽出口３２を下方より貫通穴２７１に挿入して、該抽出口３２を台座部２６の上部に突出させると、フランジ３４が貫通孔２７１に内嵌する。したがって、フレキシブル容器３は容器本体３１の下部を抱持部２１により抱持されるとともに、上部をフランジ３４にて貫通孔２７１により拘束されて、支持部材２により確実に仮止めされる。よって、中間体４を取り付けるに際してこれ回転させた場合、フレキシブル容器３の回転や、位置ずれをより確実に防止することができ、中間体４の取り付け作業が容易となるとともに、この作業中に抽出口３２から内容液３６が漏れる不都合を確実に防止することができる。
【００４９】
図７は、本発明の第３の実施の形態を示すものである。この実施の形態にかかる液体噴霧装置１も同様に、支持部材７、フレキシブル容器３、中間体４及びトリガー式噴霧器５で構成されているが、支持部材７の構成のみが前記実施の形態とは異なっている。
【００５０】
すなわち、本実施の形態における支持部材７は、図８に示すように、抱持部７１とアーム部７２及び抽出口配置部であるヘッド部７３で構成されている。抱持部７１は、水平状の下面を備えた接面部としての底面部７１ｅを有するとともに、この底面部７１ｅの矩形状であってその短辺縁には短辺部７１ａ、７１ｂが、長辺縁には長辺部７１ｃ、７１ｄが一体的に形成されている。各辺部７１ａ〜７１ｄは略垂直状態に設けられた板状の部材であって、一方の短辺部７１ａには、所定範囲に亙って切除された開放部７１ｆが設けられている。
【００５１】
なお、抱持部７１は、その内部にフレキシブル容器３の容器本体３１を収容可能であるとともに、収容した場合に辺部７１ａ〜７１ｄの内面が容器本体３１の対応する周面に接触し得る大きさを有している。
【００５２】
アーム部７２は、右辺部７１ｂの中央部に結合されて略垂直状に起立する起立部７２ａと、この起立部７２ａの上端部に連なり、底面部７１ｅの中心部方向に傾倒した斜状部７２ｂと有している。そして、この斜状部７２ｂの上端部に、前記ヘッド部７３が設けられている。
【００５３】
ヘッド部７３は、前記斜状部７２ｂの上端部に垂直状態で設けられた背面板７３ａを有し、この背面板７３ａの両側縁には、前記底面部７１ｅ上に突出する相対向する一対の側板７３ｂ、７３ｃの端部が結合されている。さらに、これら背面板７３ａと側板７３ｂ、７３ｃの上縁部には、水平状に配置された上面板７３ｄの周部が結合されており、この上面板７３ｄには開放端側から略半円状に切り欠かれた切欠部７３ｅが設けられている。
【００５４】
この上面板７３は、図７に示すように、トリガー式噴霧器５のねじキャップ５２を中間体４の中径部４５に完全に略着した際に、ねじキャップ５２と中間体４の大径部４１との間に生ずる間隙Ｓに挿入し得る板厚を有している。また、切欠部７３ｅは、前記中間体４の中径部４５に外嵌する径を有しているとともに、図８に示した相対向する先端部７３ｆ、７３ｆが、最大径位置よりもやや縮径位置となるように、半円を若干超える大きさに切欠されている。
【００５５】
以上の構成において、本実施の形態にかかる液体噴霧装置１を組み立てるに際しては、支持部材７を底面部７１ｅにてテーブル等の適宜の水平面に載置しておく。次に、抽出口３２を摘持してフレキシブル容器３を持ち上げ、容器本体３１の下端部を支持部材７の抱持部７１内に挿入する。このとき、ベース部７１には、一方の短辺部７１ａに所定範囲に亙って切除された開放部７１ｆが設けられていることから、該開放部７１ｆから挿入することにより、容器本体３１の下部を容易にベース部７１に収容することができる。また、容器本体３１の下部がベース部７１に収容されると、辺部７１ａ〜７１ｄの内面に容器本体３１の対応する面が接触して、容器本体３１の下部が抱持される。
【００５６】
しかる後に、抽出口３２の雄ねじ部３５に、中間体４の小径部４２の雌ねじ部４２ｂを螺合させてフレキシブル容器３の抽出口３７に中間体４を装着する。すると、中間体４の小径部４２が抽出口３７と連通することにより、小径部４２の長さ分に応じて実質的に抽出口３７が長尺化することとなる。
【００５７】
次に、抽出口３７に装着されている中間体４の中径部４５を、その下端部にてヘッド部７３の切欠部７３ｅに嵌合させる。これにより、フレキシブル容器３の上部は中間体４を介して、支持部材７のヘッド部７３に固定され、しかも前述のように、容器本体３１の下部は抱持部７１により抱持されていることから、フレキシブル容器３は上下各部において、支持部材２により支持されて安定した状態となる。このとき、前述のように、中間体４の小径部４２が抽出口３７と連通していることにより、小径部４２の長さ分に応じて実質的に抽出口３７が長尺化していることから、中間体４の中径部４５をヘッド部７３の切欠部７３ｅに嵌合させる際に、容器本体３１が多少撓んでも、内容液が溢れ出すことはない。
【００５８】
次に、トリガー式噴霧器５をそのノズル６４が支持部材７のアーム部７２に対して反対側に突出するように位置決めし、この状態でねじキャップ５２を回転させて、その雌ねじ部５３を中間体４に設けられている中径部４５の雄ねじ部４６に螺合させる。
【００５９】
このとき、フレキシブル容器３は前述のように上下各部において支持部材２に支持されていることから、ねじキャップ５２を回転操作して螺着する際に、フレキシブル容器３が倒れて内容液３６が漏れてったり、フレキシブル容器３が中間部で折り曲がって、液が噴出してしまうこともない。そして、中間体４の小径部４７が下端部材６６と完全に嵌合すると、ねじキャップ５２の回転が不可能となって前記間隙Ｓが形成されるとともに、トリガー式噴霧器５が中間体４の上部に固定され、図７に示した液体噴霧装置１が完成することとなる。
【００６０】
なお、この形態においては、支持部材７の上部を中間体４の中径部４５に係合させるようにしたが、中間体４の大径部４１に係合させるようにしてもよく、つまりは、中間体４と抽出口３２のいずれか少なくとも一方に係合する構成であればよい。
【００６１】
【発明の効果】
以上説明したように本発明によれば、組み立てに際して容器本体を手指からの力によって内部方向に変形させることなく作業を行うことができ、この変形により内容液が抽出口から溢れ出てしまう不都合を解消することができる。また、容器本体は可撓性を有していることから、これを抱持部に挿入する作業に困難性を伴うことはなく、さらには両手作業が可能となることとも相俟って、組立作業を容易に行うことができる。
また、フレキシブル容器は下部においては支持部材の抱持部により抱持され、上端部においては中間体を介して支持部材の抽出口配置部に固定される。
したがって、抽出口に中間体を螺着する作業を行う際に、容器本体が手指からの力によって内部方向に変形することがなく、この変形により内容液が抽出口から溢れ出てしまう不都合を防止することができる。
また、中間体が螺着されることにより、抽出口の抜け止めがなされ、フレキシブル容器が上下各部で支持部材に支持されることにより、整然とした起立状態で安定的に拘束される。よって、中間体にトリガー式噴霧器を螺着させる際に、フレキシブル容器が中間部で折り曲がって、液漏れが生じてしまう不都合を防止することができる。
また、抽出口のねじ部に中間体を螺着すると、その長さ分に応じて抽出口が長尺化することとなる。したがって、この中間体を螺着後トリガー式噴霧器が螺着する際に、容器本体が多少撓んでも、内容液が溢れ出すことはなく、液漏れが生じてしまう不都合を防止することができる。
また、前記第３のねじ部にトリガー式噴霧器が螺着されると、当該トリガー噴霧器に設けられている通気孔が中間体の端面により閉鎖される。したがって、通気孔を有し従来から用いられている既存のトリガー式噴霧器を採用しても、液漏れなく、かつ内容液の残量や使用時の傾き角度に左右されることなく噴霧できる液体噴霧装置が得られる。よって、既存のトリガー式噴霧器を有効利用することができるのみならず、構造が複雑であるトリガー式噴霧器を新たに開発する必要もなく、低コストで実施化が可能となる。
【００６２】
また、フレキシブル容器の容器本体を多面形状とし、前記抱持部は容器本体の外面に接触する枠状としたことから、フレキシブル容器を回転止めすることができ、抽出口に必要部材を螺着する際の作業を容易化することができる。
【００６３】
また、前記支持部材は、下部に前記接面部と抱持部とを有し、上部に前記抽出口が遊嵌される貫通孔を有する構成としたことから、フレキシブル容器を上下各部に支持して、安定した状態で起立させることができ、フレキシブル容器が傾倒して、抽出口から内容液が漏れてしまう不都合を防止することができる。
【図面の簡単な説明】
【図１】本発明の第１の実施の形態を示す正面図である。
【図２】（ａ）は同実施の形態における支持部材を示す正面図、（ｂ）は（ａ）のＢ矢示図、（ｃ）は（ａ）のＣ矢示図である。
【図３】（ａ）は同実施の形態におけるフレキシブル容器を示す斜視図、（ｂ）は（ａ）のＢ−Ｂ線に相当する矢示断面図である。
【図４】（ａ）は同実施の形態における中間体を示す正面図、（ｂ）は（ａ）のＢ−Ｂ線に相当する矢示断面図である。
【図５】同実施の形態におけるトリガー式噴霧器を示す垂直断面図である。
【図６】（ａ）は本発明の第２の実施の形態における支持部材を示す正面図、（ｂ）は（ａ）のＢ矢示図、（ｃ）は（ａ）のＣ矢示図である。である。
【図７】本発明の第３の実施の形態を示す正面図である。
【図８】同実施の形態の実施の形態における支持部材を示す斜視図である。
【図９】従来の液体噴霧装置を示す正面図である。
【符号の説明】
１    液体噴霧装置
２    支持部材
３    フレキシブル容器
４    中間体
５    トリガー式噴霧器
７    支持部材
２１    抱持部
２３    接面部
【図１】
0004080096.tif 000002
【図２】
0004080096.tif 000003
【図３】
0004080096.tif 000004
【図４】
0004080096.tif 000005
【図５】
0004080096.tif 000006
【図６】
0004080096.tif 000007
【図７】
0004080096.tif 000008
【図８】
0004080096.tif 000009
【図９】
0004080096.tif 000010